(57)【要約】      （修正有）【課題】自然な方法で男性生殖器の興奮を得るマッサージ動作を生成装置を提示する。【解決手段】男性生殖器を受容する縦長のマッサージ凹部２に受容された男性生殖器をマッサージするため、動力機械装置４がマッサージ凹部２の縦軸ＬＡに沿って伸張して提供される。動力機械装置４は、縦軸ＬＡから放射距離で配置され、および縦長のマッサージ凹部２を少なくとも区分的に包囲する複数の軸受面５から構成される。動力機械装置４が縦長のマッサージ凹部２の縦軸ＬＡに沿って少なくとも放射状に内側に、縦長のマッサージ凹部２を振動変形するよう設計される。【選択図】図１
2010125335.tif 000002
【特許請求の範囲】
【請求項１】
男性生殖器を受容する縦長のマッサージ凹部（２）を有するマッサージ装置において、縦長のマッサージ凹部（２）に受容された男性生殖器をマッサージするため、動力機械装置（４）がマッサージ凹部（２）の縦軸（ＬＡ）に沿って伸張して提供され、動力機械装置（４）は、縦軸（ＬＡ）から放射距離で配置されかつ縦長のマッサージ凹部（２）を少なくとも区分的に包囲する複数の軸受面（５）から構成され、および動力機械装置（４）は、縦長のマッサージ凹部（２）の縦軸に沿って少なくとも放射状に内側に縦長のマッサージ凹部（２）を振動変形するよう設計されることを特徴とするマッサージ装置。
【請求項２】
縦長のマッサージ装置（２）は、ゴム弾性材料で作られた少なくとも区分的なチューブ状成形部分（３）、および弾性成形部分（３）の側面（３’’）を少なくとも部分的に支える軸受面（５）によって形成されることを特徴とする、請求項１に記載のマッサージ装置。
【請求項３】
複数の軸受面（５）は、縦軸（ＬＡ）の周囲に同軸に、またはマッサージ凹部（２）の縦軸（ＬＡ）に対し放射状に補正するよう配置されることを特徴とする、請求項１または２に記載のマッサージ装置。
【請求項４】
縦長のマッサージ凹部（２）の縦軸（ＬＡ）に沿った、および／または縦長のマッサージ凹部（２）の円周方向の振動変形は、好ましくは段階的ではないことを特徴とする、請求項１から３のいずれか一つに記載のマッサージ装置。
【請求項５】
動力機械装置（４）は、縦長のマッサージ凹部（２）を波状に、すなわち縦長のマッサージ凹部（２）の縦軸（ＬＡ）に沿って前進する波形で変形するよう設計されることを特徴とする、請求項１から４のいずれか一つに記載のマッサージ装置。
【請求項６】
一つの軸受面（５）は、少なくとも一つの偏心部分（７.１）から成る少なくとも一つの駆動可能シャフト（７）によって形成されることを特徴とする、請求項１から５のいずれか一つに記載のマッサージ装置。
【請求項７】
軸受面（５）は複数の軸受要素（６）から形成され、縦軸（ＬＡ）に沿ってそれぞれ配置される複数の軸受要素（６）の場合は、放射状ストローク運動を生成するため、少なくとも一つのシャフト（７）を用いて駆動されることを特徴とする、請求項１から５のいずれか一つに記載のマッサージ装置。
【請求項８】
軸受要素（６）は、少なくとも一つのシャフト（７）を保持するため、少なくとも一つの誘導開口部（８）からそれぞれ構成されることを特徴とする、請求項７に記載のマッサージ装置。
【請求項９】
軸受要素（６）は顎、ディスク、ボール、および／または剛毛であることを特徴とする、請求項７または８に記載のマッサージ装置。
【請求項１０】
軸受要素（６）は、例として金属、プラスチック、エラストマー、成形ポリウレタン、またはこれら材料のいずれの組み合わせなどの、硬質または弾性的に変形可能な材料から作られることを特徴とする、請求項７から９のいずれか一つに記載のマッサージ装置。
【請求項１１】
軸受要素（６）は縦軸（ＬＡ）に沿って少なくとも区分的に異なって設計される、請求項７から１０のいずれか一つに記載のマッサージ装置。
【請求項１２】
複数の支持要素（６）は、縦長のマッサージ凹部（２）の縦軸（ＬＡ）に垂直な共有面に配置されてかつ支持要素（６）の一群を形成し、および複数のそのような群は縦長のマッサージ凹部（２）の縦軸（ＬＡ）に沿って連続して提供されることを特徴とする、請求項７から１１のいずれか一つに記載のマッサージ装置。
【請求項１３】
複数の連続的な、少なくとも一つの誘導開口部（８）を有する少なくとも部分的に円形の軸受要素（６）は、縦長のマッサージ凹部（２）の縦軸（ＬＡ）に沿って提供されることを特徴とする、請求項７から１２のいずれか一つに記載のマッサージ装置。
【請求項１４】
少なくとも一つのロッド型の誘導または支持要素（９）は、少なくとも一つの誘導開口部（８）を通って誘導されることを特徴とする、請求項１３に記載のマッサージ装置。
【請求項１５】
少なくとも一つのロッド型の誘導または支持要素（９）、顎型または少なくとも部分的に円形リング型の複数の軸受要素（６）は並んでおり、少なくとも一つのロッド型の誘導または支持要素（９）は受容スペース（２）の縦軸（ＬＡ）にほぼ平行であり、かつ前記軸に離間されて配置されることを特徴とする、請求項１４に記載のマッサージ装置。
【請求項１６】
好ましくは、軸受要素（６）と並ぶ複数のそのようなロッド型の誘導または支持要素（９）は、縦軸（ＬＡ）の周囲に同軸で提供されることを特徴とする、請求項１５に記載のマッサージ装置。
【請求項１７】
ロッド型の誘導または支持要素（９）と並ぶ軸受要素（６）を駆動するためには、少なくとも一つのシャフト（７）が軸受要素（６）の一つの円周側で作動することを特徴とする請求項１６に記載のマッサージ装置。
【請求項１８】
軸受面（５）および／または前記軸受面（５）を形成する軸受要素（６）を動かすために、少なくとも一つの偏心部分（７.１）から成る少なくとも一つのシャフト（７）が提供され、（シャフトは）軸受要素（６）と相互作用し、および駆動装置によって駆動されることが可能であることを特徴とする、請求項７から１７のいずれか一つに記載のマッサージ装置。
【請求項１９】
少なくとも一つの偏心部分（７.１）は、少なくとも一つのシャフト（７）の少なくとも一部の長さに渡って、シャフト（７）の縦軸（ＬＷ）に平行またはほぼ平行に伸張することを特徴とする、請求項６または１８に記載のマッサージ装置。
【請求項２０】
少なくとも一つの偏心部分（７.１）は、少なくとも一つのシャフト（７）の少なくとも一部の長さに渡って、シャフト（７）の縦軸（ＬＷ）に対し対角線上に伸張することを特徴とする、請求項６または１８に記載のマッサージ装置。
【請求項２１】
少なくとも一つの偏心部分（７.１）は、少なくとも一つのシャフト（７）の少なくとも一部の長さに渡って、シャフト（７）の縦軸（ＬＷ）の周囲に螺旋状に伸張することを特徴とする、請求項６または１８に記載のマッサージ装置。
【請求項２２】
少なくとも一つの偏心部分（７.１）は、少なくとも一つのシャフト（７）の一つの縁によって成形されることを特徴とする、請求項６、１９、２０、および２１のいずれか一つに記載のマッサージ装置。
【請求項２３】
偏心部分（７.１）は、少なくとも一つのシャフト（７）が少なくとも部分的に非円形の断面、例として多角形、基本的には多角形または楕円形の断面を有することにより成形されることを特徴とする、請求項６、１９、２０、および２１のいずれか一つに記載のマッサージ装置。
【請求項２４】
少なくとも一つの偏心部分（７.１）は弾性的に変形可能な材料、特にエラストマーまたは成形ポリウレタン材料で包囲されることを特徴とする、請求項６または１８から２３のいずれか一つに記載のマッサージ装置。
【発明の詳細な説明】
【技術分野】
【０００１】
本発明は特許請求項１の序文による、男性生殖器のためのマッサージ装置に関する。
【背景技術】
【０００２】
先行技術は、男性生殖器、特に陰茎の性的刺激のための多数のマッサージ装置に精通している。
【０００３】
そのようなマッサージ装置の目的は、男性生殖器の興奮を得るため男性生殖器に振動を与えることである。そのような既知のマッサージ装置の一つの主な問題は、自然の性行為での刺激とは異なる不自然な方法の刺激であることである。
【発明の概要】
【０００４】
この出発点から、本発明の目的は、できる限り自然な方法で男性生殖器の興奮を得るマッサージ動作を生成するための、新しい型の動力機械装置のあるマッサージ装置を提示することである。この目的は特許請求項によるマッサージ装置によって達成される。
【０００５】
本発明によるマッサージ装置の基本的な態様は、縦軸から放射方向距離に配置されかつ縦長のマッサージ凹部を少なくとも区分的に包囲する、複数の軸受面から動力機械装置が構成されること、および縦長のマッサージ凹部の縦軸に沿って少なくとも放射状に内側に、動力機械装置が縦長のマッサージ凹部を振動変形するよう設計されることである。縦長のマッサージ凹部の振動放射状変形、すなわち特にマッサージ凹部の縦軸に沿った変形は、縦長のマッサージ凹部の中に保持される男性生殖器を特に有効にマッサージし、それによりできる限り自然な刺激を実現する。
【０００６】
縦長のマッサージ凹部の縦軸に沿った、および／または縦長のマッサージ凹部の円周方向の振動変形が好ましくは段階的でないことは、更なる利点である。これにより縦長のマッサージ凹部の波状変形、すなわち例としてマッサージ凹部の縦軸に沿って進行する波形が実現される。
【０００７】
複数の軸受面は縦軸の周囲に同軸に、またはマッサージ凹部の縦軸に放射状に補正して配置されることが有利である。
【０００８】
縦長のマッサージ凹部はまた、ゴム弾性材料で作られた少なくとも区分的なチューブ状成形部分から形成されることが可能であり、および軸受面は弾性成形部分の側面を少なくとも部分的に支えることが可能である。
【０００９】
好適な実施例では、複数の軸受面が縦長のマッサージ凹部の縦軸周囲に同軸に配置される。縦長のマッサージ凹部の縦軸に沿った、および／または縦長のマッサージ凹部の円周方向の振動変形は、段階的でないことが有利である。
【００１０】
動力機械装置は縦長のマッサージ凹部の波状変形、つまり縦長のマッサージ凹部の縦軸に沿って進行する波形で設計されることが有利である。
【００１１】
特に、一つの軸受面が少なくとも一つの偏心部分から成る少なくとも一つの駆動シャフトによって形成されることが有利である。
【００１２】
さらに、軸受面は複数の軸受要素から形成されることが可能であり、その場合、縦軸に沿ってそれぞれ配置される複数の軸受要素は、放射状ストローク運動を生成するよう少なくとも一つのシャフトによって駆動されることが可能である。この目的のため、軸受要素は少なくとも一つのシャフトを保持するための少なくとも一つの誘導開口からそれぞれ構成される。軸受要素は顎、ディスク、ボール、および／または剛毛であることが特に有利である。
【００１３】
軸受要素は、金属、プラスチック、エラストマー、形成ポリウレタン、またはこれらの材料のいずれの組み合わせなど、硬質または弾性的に変形可能な材料で作られることが有利である。特に、軸受要素は縦軸に少なくとも区分的沿って異なって設計される。例として、複数の支持要素が縦長のマッサージ凹部の縦軸に垂直な共有面に配置されて一群の支持要素を形成することが可能であり、および複数のそのような群が縦長のマッサージ凹部の縦軸に沿って連続して提供されることが可能である。
【００１４】
さらに有利な実施例では、複数の連続的な、少なくとも一つの誘導開口のある少なくとも区分的に円形リング型である軸受要素が、縦長のマッサージ凹部の縦軸に沿って提供される。少なくとも一つのロッド型の誘導または支持要素は、少なくとも一つの誘導開口部を通って誘導される。
【００１５】
少なくとも一つのロッド型の誘導または支持要素には、複数の顎型または少なくとも区分的に円形リング型の軸受要素が有効に並び、少なくとも一つのロッド型の誘導または支持要素は保持スペースの縦軸にほぼ平行で、かつ前記軸に離間されて配置される。好ましくは、並んだ軸受要素のある複数のそのようなロッド型の誘導または支持要素は、縦軸の周囲に同軸で提供される。さらに、ロッド型の誘導または支持要素に並ぶ軸受要素を駆動するために、少なくとも一つのシャフトが軸受要素の一つの同軸側で作用する。
【００１６】
支持面および／または前記支持面を形成する支持要素を動かすには、少なくとも一つの偏心部分から成り、かつ支持要素と相互作用して駆動装置によって駆動されることが可能である、少なくとも一つのシャフトが備わることが特に有利である。少なくとも一つの偏心部分は少なくとも一つのシャフトの長さの少なくとも一部に渡って、シャフトの縦軸に平行またはほぼ平行に伸びる。また少なくとも一つの偏心部分は、少なくとも一つのシャフトの長さの少なくとも一部に渡ってシャフトの縦軸に垂直に延びる、または少なくとも一つのシャフトの長さの少なくとも一部に渡ってねじれる設計を有する、すなわちシャフトの縦軸の周囲に螺旋状に延びることも可能である。
【００１７】
少なくとも一つの偏心部分は、少なくとも一つのシャフトの一つの縁によって形成され、および偏心部分は少なくとも一つのシャフトが、例として多角形などの円形でない断面、基本的には多角形または楕円形の断面を、少なくとも部分的に有するように設計されることが効果的である。少なくとも一つの偏心部分は好ましくは、弾性的に変形可能な材料、特にエラストマーまたは成形ポリウレタン材料などで包囲される。
【００１８】
本発明のさらに有利な実施例は、以下の実施例および図面の説明から明確になる。説明および／または提示されたすべての特徴は、単独でも、あるいはいずれの組み合わせでも、特許請求での要約または参照に関わらず、本発明の主題となる。特許請求の内容はまた、説明の一部に統合される。
【図面の簡単な説明】
【００１９】
本発明は、いくつかの図面を参照することにより、実施例に基づいて下記により詳細に説明される。
【図１】本発明によるマッサージ装置の縦断面図での側面図である。
【図２】チューブ状成形部分のある図１の本発明によるマッサージ装置の側面図である。
【図３】Ａ−Ａ線に沿った図２のマッサージ装置の断面図である。
【図４】Ｂ−Ｂ線に沿った図２のマッサージ装置の断面図である。
【図５】本発明によるマッサージ装置の追加的実施例の縦断面図での側面図である。
【図６】本発明による図１のチューブ状成形部分のあるマッサージ装置の追加的実施例の側面図である。
【図７】Ａ−Ａ線に沿った図６のマッサージ装置の断面図である。
【図８】Ｂ−Ｂ線に沿った図６のマッサージ装置の断面図である。
【図９】第一実施例のシャフトの二つの模範的な側面図である。
【図１０】第二実施例の代替的なシャフトの二つの模範的な側面図である。
【図１１】本発明によるマッサージ装置の代替的な実施例の縦断面図の側面図である。
【図１２】本発明によるマッサージ装置の代替的な実施例の縦断面図の側面図である。および、
【図１３】剛毛のシャフトの実施例の側面図である。
【発明を実施するための形態】
【００２０】
図１、２、５および６はそれぞれ、男性生殖器、特に陰茎をマッサージするためのマッサージ装置１を縦断面図で示し、マッサージ装置１の縦軸ＬＡは、適合するデカルト軸系のＸ−Ｙ面に伸張する。
【００２１】
マッサージ装置１は、縦長のマッサージ凹部２を変形するための動力機械装置４のある、男性生殖器を受容する縦長のマッサージ凹部２から構成される。縦長のマッサージ凹部２は、図２および６に示されるように、ゴム弾性材料で作られたチューブ状成形部分３によって少なくとも部分的に形成されることが可能である。本発明によるマッサージ装置１の機能の説明のため、図面は構成材を収容する筐体を除いて、マッサージ装置１の構成材のみを示す。
【００２２】
マッサージ装置１の縦長のマッサージ凹部２は基本的に、チューブ状または中空の円筒形であり、また縦長のマッサージ凹部２の少なくとも一端には、縦長のマッサージ凹部２の中で刺激される陰茎の挿入のために、開口部２’が備わる。好ましくは、縦長のマッサージ凹部２の開口部２’に相対する端は閉鎖されている、すなわち、例として射精のための保持空間を含む。
【００２３】
好適な実施例では、縦長のマッサージ凹部２は弾性成形部分３と少なくとも部分的に並んでおり、一体化で設計され、かつ縦軸ＬＡをほぼ同軸に包囲する壁３’から少なくとも区分的に構成されることが好ましい。弾性成形部分３またはその壁３’は、外部側面３’’動作機械装置４によって定められる外形に適合させる。さらに、弾性成形部分３は末端開口部２’の上に反対に引き出され、そこに固定されることが好ましい。
【００２４】
さらに、縦長のマッサージ凹部２を少なくとも区分的に放射状に包囲する動力機械装置４は、縦軸ＬＡに沿って提供され、（動力機械装置は）少なくとも放射状に内側に、すなわち縦長のマッサージ凹部２の縦軸ＬＡに対して、縦長のマッサージ凹部２を振動変形するよう設計される。振動変形は縦長のマッサージ凹部２の縦軸に沿って、および／または縦長のマッサージ凹部２の円周方向に、好ましくは段階的でなく行われ、マッサージ凹部２のほぼ波状、すなわち縦長のマッサージ凹部２の縦軸ＬＡに沿って進行する波形の変形を生成する。
【００２５】
動力機械装置４はこの目的のため、縦長のマッサージ凹部２を包囲し、かつその縦軸ＬＡと同軸に配置される複数の軸受面５から成り、および軸受面５は、マッサージ凹部２が弾性成形部分３と並んでいる場合は、その側面３’’に少なくとも部分的に反して位置する。軸受面５は、以下に例として説明される異なる機械構成材によって形成されることが可能である。
【００２６】
動力機械装置４は例として、第一支持要素１１と相対する第二支持要素１２の間に固定され、および好ましくは支持要素１１、１２と固く接続される、いくつかの誘導かつ支持要素９から構成される。誘導かつ支持要素９は例としてロッドまたはバーの形状であり、およびマッサージ装置１のほぼ縦軸ＬＡの方向に配向される。
【００２７】
第一支持要素１１と第二支持要素１２の間には、第一支持要素１１から離間されて、複数の軸受要素６が配置され、軸受要素６はそれぞれ、例として少なくとも一つの誘導開口部３から成り、および少なくとも一つの誘導または支持要素９はこの誘導開口部８を通って誘導される。誘導開口部８はＸ−Ｚ面の軸受要素６の半径方向に、つまり縦軸ＬＡに関してそれぞれ外側から内側に、および逆もまた同様に変位が可能なように設計される。好ましくは、誘導開口部８は楕円形または長方形である。
【００２８】
図３および４は、線Ａ−ＡとＢ−Ｂに沿った図２のマッサージ装置１の断面図である。示された実施例では、第一から第四の誘導かつ支持要素９、９’、９’’、９’’’、９’’’’が第一、第二誘導かつ支持要素１１、１２の間に提供され、誘導かつ支持要素９、９’、９’’、９’’’、９’’’’は、それぞれ互いに９０度に補正されてマッサージ装置１の縦軸ＬＡ周辺に同軸に、つまり第一から第四の誘導かつ支持要素９、９’、９’’、９’’’、９’’’’が縦軸ＬＡからそれぞれ同じ距離を有するよう配置される。
【００２９】
縦軸ＬＡの方向で配向される軸受要素６の表面部分は、弾性成形部分３の外部側面３’’のため、軸受面５を形成する。これらの軸受面５に相対する軸受要素６表面部分は、少なくとも一つのシャフト７に反して位置し、およびシャフト７の縦軸ＬＷはマッサージ装置１の縦軸にほぼ平行で、かつ後者から離間される。シャフト７は第一および第二支持要素１１、１２に回転可能に取り付けられることが好ましく、および図示されていない駆動装置を用いてそれぞれの縦軸ＬＷ上で駆動されることが可能である。
【００３０】
第一支持要素１１と第二支持要素１２の間の範囲では、シャフト７が、縦軸ＬＡから離れて面する軸受要素６の表面部分と相互作用する少なくとも一つの偏心部分７.１から構成され、およびこれらの軸受要素６をシャフト７の回転中に、縦軸ＬＡに対し放射状に変位する、すなわち放射状ストローク運動を生成する。この軸受要素６の放射状ストローク運動は、弾性成形部分３または少なくともその壁３’の変形を引き起こす。軸受要素６の誘導開口部８は同様にシャフト７を保持するよう設計され、そのため軸受要素６はいずれも誘導されシャフト７によって駆動されることができるようになる。
【００３１】
複数の軸受要素６は、弾性成形部分３の円周に沿った共有面に備わることが可能であり、およびこれらの軸受要素６は弾性成形部分３の円周に沿ってほぼ均一に分布されるか、または一定の角度領域に集中して置かれる。軸受要素６は誘導かつ支持要素９に順に並び、好ましくはシャフト７が配置されることによって駆動されるＹ方向で軸受要素６の“堆積”を生成する。図２および３に示される軸受要素６は、縦軸ＬＡに垂直な一般的なＸ−Ｙ面に配置され、およびそれにより軸受要素６の群を形成し、複数のそのような群は“堆積”を形成するため、マッサージ装置１の縦軸ＬＡに沿って連続して配置される。
【００３２】
図１および２の実施例の軸受要素６は、誘導開口部８として提供される互いに平行に伸びる二つの楕円形の穴のある、円形の軸受面５を有するほぼ円錐型の顎によって形成される。これから逸脱するものとして、軸受要素６は例としてボールまたはディスク状など、広範囲の形状を有することが可能である。
【００３３】
また、複数の継続的な、内部開口部を有する少なくとも部分的に円形の軸受要素６は、マッサージ装置１の縦軸に沿って提供されることが可能であり、縦軸ＬＡと同軸的で配置され、好ましくは円形の内部開口部を形成する。弾性成形部分３は、軸受要素６によって作られた円形の内部開口部に少なくとも部分的に保持されるか、または内部開口部を通って誘導される。
【００３４】
従って軸受要素６の駆動は、誘導かつ支持要素９のあるシャフト７の相互作用から生じる。軸受要素６は誘導穴８を通って誘導される誘導かつ支持要素９を用いて可動に調整され、およびマッサージ装置１の縦軸ＬＡに対しては動かないように取り付けられ、そしてマッサージ装置１の縦軸ＬＡに関する放射方向にのみ変位が行われるよう、誘導開口部８の内表を通って誘導される。従って軸受要素６はそれぞれ、軸受要素６と近接せずに、すなわちマッサージ装置１の縦軸ＬＡに垂直に伸張する面で上下に可動であることが好ましい。
【００３５】
望ましいマッサージ運動を生成するため、シャフト７に反して位置する軸受要素６の軸受面５は様々な形状または表面特性を有することが可能である。また、シャフト７は異なる交差形状、例として楕円、円、または多角形を有することが可能である。誘導開口部８を軸受要素の駆動のために使用する場合、開口部は同様に、例として円、楕円、または長方形などの異なる形を有することが可能である。
【００３６】
図３および４に描かれる実施例では、軸受要素６の誘導開口部８は一対の楕円形の穴で設計され、楕円形の穴はマッサージ装置１の縦軸ＬＡに放射状に整列され、およびそこに垂直である楕円形の穴の開口部の寸法は円形の誘導かつ支持要素９の外形にほぼ適合する。シャフト７に反して支える軸受要素６の表面部分は、シャフト７の自体の断面が楕円であるのに対し、少なくとも部分的に直線および平面である。誘導開口部８の形状、一方がシャフト７につながっている軸受要素６の表面部分の形状または表面品質、およびもう一方のシャフト７のデザインは、シャフト７の回転角度に基づいてマッサージ装置１の縦軸ＬＡに垂直に伸びる面のそれぞれの軸受要素６の動作またはストロークの程度を決定する、カムを生じる結果となる。
【００３７】
軸受要素６の駆動には、様々な形状のシャフト７が使用されることが可能であり、例として好ましくは少なくとも一つの偏心部分７.１を有する、特に図９ａおよび９ｂまたは図１０ａおよび１０ｂに描かれるようなシャフトであり、これらのシャフトは例として複数の偏心部分７.１から構成される。ａとｂでは図面はそれぞれ同じシャフト７を示すが、図ｂのそれぞれのシャフト７は、図ａのシャフトと比較して縦軸ＬＷに沿って９０度回転されている。および図９ａと図９ｂに示される実施例では、シャフト７はシャフトのそれぞれの縦軸ＬＷの周囲に螺旋通路を有する。図１０ａと図１０ｂで示されるシャフト７は、シャフトの縦軸ＬＷの周囲を振動する形の複数の偏心部分７.１を示し、全ての偏心部分７.１は一つの面に置かれ、図８ｂで示されるように二次元描写で９０度回転できるようになっており、偏心部分７.１は可視できない。また、単一の偏心部分７.１を有するシャフト７の使用もあり得る。
【００３８】
上記で説明された実施例の誘導開口部８と相互作用するシャフト７とシャフト７に接触する表面部分のデザインにより、それぞれの軸受要素６の変位がマッサージ装置１の縦軸ＬＡに垂直に伸びる面で生じ、および従ってマッサージ装置１の全体図では、縦軸ＬＡに沿って進行する軸受要素６の洞性波型のストローク運動が生じることが好ましい。軸受要素６の複数の支持面５のこれらの異なるストローク運動は、マッサージ凹部２または弾性成形部分３の放射状の振動変形に変換される。
【００３９】
また、シャフト７は偏差形で、すなわちシャフト７の縦軸ＬＡに平行またはほぼ平行に少なくとも一部の長さに渡って、シャフト７の縦軸ＬＷに垂直なシャフト７の少なくとも一部の長さに渡って、設計されることも可能である。また、シャフト７の少なくとも一つの偏心部分７.１はシャフト７の一つの縁によって形成されることが可能である。
【００４０】
図５から８による代替的な実施例では、軸受面５が別々の軸受要素６によって形成される代わりに、それぞれのシャフト７自体の側面または縁によって形成される。シャフト７の縦軸ＬＷはマッサージ装置１の縦軸ＬＡにほぼ平行に、好ましくは縦軸ＬＡに同じ放射状距離で配向される。これらのシャフト７は第一および第二支持要素１１、１２に回転可能に取り付けられ、および図示されていない駆動装置によって好ましくは同調して駆動されることが可能である。
【００４１】
ここで示される実施例では、図９ａおよび９ｂで示されるようなシャフト７が使用される。これらは、シャフト７の縦軸ＬＷに沿って配置される複数の偏心部分７.１から構成される。図６から８では、弾性成形部分３は外側側面３’’をこの螺旋形の波形に適合させる。より快適なマッサージ効果を達成するため、シャフト７または少なくとも偏心部分７.１は弾性的に変形可能な材料、特にエラストマーまたは形成ポリウレタン材料などによって包囲されることを特徴とするが可能である。これにより、成形部分３への軸受面５がより大きくなり、およびゆえに、男性生殖器へ及ぼす弾性成形部分７によるシャフトの少なくとも一つの偏心部分７.１の不快な影響を防ぐ。
【００４２】
また、駆動開口部に備わるボール型、ディスク型、または他の形の軸受要素６は、刺激効果を上げるため、シャフト７の少なくとも一部の範囲に沿ってシャフト７に並ぶことが可能である。シャフト７の外側で少なくとも部分的に現されるマッサージ凹部の断面、またはシャフト７に並ぶ軸受要素６またはシャフト７の外表と相互作用する弾性成形部分３の断面、またはシャフト７に並ぶ軸受要素６の断面は、シャフト７への回転運動を適用するうえで、縦軸ＬＡに沿って少なくとも区分的に変化する。
【００４３】
好ましくは規則的な角度間隔で円周に沿って配向されるシャフト７の回転角度により、縦長のマッサージ凹部２の直径の周期的な拡大または縮小、または弾性成形部分３かその壁３’の拡大または収縮が達成される。これはマッサージ装置１の縦軸ＬＡに沿って進行する振動ストローク運動、好ましくはマッサージ凹部２または弾性成形部分３の波形の変形を生成する。
【００４４】
この実施例では、スリーブ３の円周に沿って使用されるシャフト７の数、偏心部分７.１およびシャフト７断面形状の形状またはデザインによって、望ましいマッサージ効果が選択されることが可能である。また、マッサージ効果はシャフト７の回転スピードまたは回転方向を変化させることにより、変更または上昇させることが可能である。特に、マッサージ凹部２の円周に沿って分布されるシャフト７は、シャフト７によって生成される変形が隣接するシャフト７によって生成される変形によって段階的でなくなるよう作動されることが可能である。
【００４５】
図５および６に示されるシャフト７の実施例の代替的として、前記シャフトは事実上いずれの形状を有することも可能であり、シャフト７は例として洞波型変形のような、シャフト７がマッサージ装置１の縦軸ＬＡに沿って進行するマッサージ凹部３の変形を生じるよう適切な作動によって適合される。
【００４６】
特に、少なくとも一つの偏心部分７.１は、少なくとも一つのシャフト７の少なくとも一部に渡ってシャフト７の縦軸ＬＷにほぼ平行または垂直に伸張することが可能である。また少なくとも一つの偏心部分７.１は、シャフトの一つの縁によって形成されることも可能である。
【００４７】
図１１は本発明によるマッサージ装置の追加的実施例を示す。シャフト７には、チューブ状成形部分３のその外側の側面３’’の向かいの円周側で少なくとも部分的に支える軸受要素６が並び、例として、ボールやディスクなどの形の、好ましくは定期的にまたは少なくとも部分的に変化する、様々に形成される軸受要素６が提供される。これらの異なる軸受要素６は特に、異なる材料で作られることが可能である。好ましくは、ボール型軸受要素６の上に放射状に突出するディスク型軸受要素６は、ボールが特にプラスチックや金属などの固い材料で作られるのに対し、柔らかい弾性的に変形可能な材料、例としてエラストマーなどで作られる。これらのボールはディスク型軸受要素６に空間を与えるものとして機能する。ディスク型軸受要素６の変形性は、シャフトの回転によって生じるチューブ状成形部分３の変形に加えて、ディスク型軸受要素６の逆変形によって男性生殖器に影響を及ぼす間、効果のある追加的マッサージを実現する。
【００４８】
図１２は、シャフト７に配置された軸受要素６のさらに可能な実施例を示し、（軸受要素は）剛毛状のデザインでありかつシャフトから放射状に突き出ている。剛毛はエラストマーなどの可逆性の変形可能な材料で作られる。これらはチューブ状成形部分３に相対する軸受面５を形成し、および同様にマッサージ効果を上げるよう、男性生殖器のマッサージ中に、チューブ状成形部分３に反して位置することにより変形される。前記軸受要素によって形成される軸受面５がシャフトの縦軸ＬＷから異なって放射状に離間されるように（図１３）、軸受要素６が形成されることも代案として可能である。例として剛毛状軸受要素６は、シャフトの縦軸ＬＷに沿って継続的、区分的に継続的、または段階的に変化する、異なる長さを有することが可能である。このデザインから逸脱して、継続的な長さの剛毛がシャフト７に螺旋状に配置されることも可能である。
【００４９】
本発明は複数の実施例に基づいて説明された。本発明に基づく基本的な発明的発想から逸脱することなく多数の修正および変更が可能であることは言うまでもない。
【符号の説明】
【００５０】
１マッサージ装置
２マッサージ凹部
２’ 開口部
３チューブ状成形部分
３’ 壁
３’’ 外側側面
４動力機械装置
５軸受面
６軸受要素
７シャフト
７.１偏心部分
８誘導開口部
９、９’、９’’、９’’’ 誘導かつ支持要素
１１第一支持要素
１２第二支持要素
ＬＡマッサージ装置の縦軸
ＬＷシャフトの縦軸
【図１】
2010125335.tif 000003
【図２】
2010125335.tif 000004
【図３】
2010125335.tif 000005
【図４】
2010125335.tif 000006
【図５】
2010125335.tif 000007
【図６】
2010125335.tif 000008
【図７】
2010125335.tif 000009
【図８】
2010125335.tif 000010
【図９】
2010125335.tif 000011
【図１０】
2010125335.tif 000012
【図１１】
2010125335.tif 000013
【図１２】
2010125335.tif 000014
【図１３】
2010125335.tif 000015